(57)【特許請求の範囲】
【請求項１】
正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有し、この壁部に、端子押し部をアーム部の先端に有した一対の電源線解除レバーが一体に形成されるとともに、端子押し部をアーム部の先端に有した一対のアース線解除レバーが一体に形成され、前記壁部に対してほぼ直角な一側壁に、負荷用の電線挿入孔が複数開けられ、かつ、内部に正極用及び負極用並びにアース線用の速結端子を位置決めするリブが設けられたボディ、及びこのボディに連結されたカバーとからなる筐体と；
基板部と、この基板部の一面側に折り曲げて突出された第１の電線受け部と、前記基板部の前記一面側に折り曲げて突出されていて突出方向中央部に曲げ部を有しこの曲げ部と前記基板部とにわたる部位が前記基板部に斜めに連なっている第２の電線受け部と、前記基板部の前記一面側に突出され、前記第１電線受け部に斜めに対向する弾性変形可能な鎖錠片、及び前記第２電線受け部に斜めに対向する弾性変形可能な鎖錠片を有した第１鎖錠板と、この第１鎖錠板と対向して前記基板部から前記一面側に突出され、前記第１電線受け部に斜めに対向する弾性変形可能な鎖錠片及び前記第２電線受け部に斜めに対向する弾性変形可能な鎖錠片を有した第２鎖錠板と、前記第２電線受け部から前記基板部とは逆側に折り曲げられた第３電線受け部と、この第３電線受け部から前記第１、第２の電線受け部とほぼ平行に折り曲げられて前記第３電線受け部に斜めに対向する弾性変形可能な一対の鎖錠片が切り起こし形成された第３鎖錠板とを具備した前記正極用速結端子であって、この速結端子用の前記リブで前記第３鎖錠板の鎖錠片の付け根が連続している前記第３鎖錠板の先端部を前記第３電線受け部への電線挿入方向と反対側から支持された状態に位置決めされて前記筐体に内蔵され、前記第１鎖錠板の一対の鎖錠片の先端部を正極用の前記両電線挿入孔に個別に対向させるとともに、前記第１鎖錠板の鎖錠片の長手方向中間部上に正極用の前記電源線解除レバーの端子押し部を位置させ、かつ、前記第３鎖錠板の鎖錠片の先端部を負荷用の前記電線挿入孔に対向させた前記正極用速結端子と；
基板部と、この基板部の一面側に折り曲げて突出された第１の電線受け部と、前記基板部の前記一面側に折り曲げて突出されていて突出方向中央部に曲げ部を有しこの曲げ部と前記基板部とにわたる部位が前記基板部に斜めに連なっている第２の電線受け部と、前記基板部の前記一面側に突出され、前記第１電線受け部に斜めに対向する弾性変形可能な鎖錠片、及び前記第２電線受け部に斜めに対向する弾性変形可能な鎖錠片を有した第１鎖錠板と、この第１鎖錠板と対向して前記基板部から前記一面側に突出され、前記第１電線受け部に斜めに対向する弾性変形可能な鎖錠片及び前記第２電線受け部に斜めに対向する弾性変形可能な鎖錠片を有した第２鎖錠板と、前記第２電線受け部から前記基板部とは逆側に折り曲げられた第３電線受け部と、この第３電線受け部から前記第１、第２の電線受け部とほぼ平行に折り曲げられて前記第３電線受け部に斜めに対向する弾性変形可能な一対の鎖錠片が切り起こし形成された第３鎖錠板とを具備した前記負極用速結端子であって、この速結端子用の前記リブで前記第３鎖錠板の鎖錠片の付け根が連続している前記第３鎖錠板の先端部を前記第３電線受け部への電線挿入方向と反対側から支持された状態に位置決めされて前記筐体に内蔵され、前記第１鎖錠板の一対の鎖錠片の先端部を負極用の前記両電線挿入孔に個別に対向させるとともに、前記第１鎖錠板の鎖錠片の長手方向中間部上に負極用の前記電源線解除レバーの端子押し部を位置させ、かつ、前記第３鎖錠板の鎖錠片の先端部を負荷用の前記電線挿入孔に対向させた前記負極用速結端子と；
一対の電線受け部及びこれら電線受け部に対向して斜めに配置された弾性変形可能な一対の鎖錠片を有したアース用速結端子であって、この速結端子用の前記リブで位置決めして前記筐体に内蔵され、前記電線受け部に近接した前記アース用速結端子の鎖錠片の先端部をアース用の前記両電線挿入孔に個別に対向させるとともに、前記アース用速結端子の鎖錠片の長手方向中間部上に前記アース線解除レバーの端子押し部を位置させたアース用速結端子と；
を具備したことを特徴とする電源端子台。
【請求項２】
前記第１鎖錠板の両鎖錠片に個別に対向してこれら鎖錠片の最大弾性変形量を規制する第１鎖錠板ストッパを、前記第１、第２の鎖錠板間に位置して前記基板部から前記一面側に切起こしたことを特徴とする請求項１に記載の電源端子台。
【発明の詳細な説明】
【０００１】
【発明の属する技術分野】
本発明は、電源線と器具内配線との中継をなす電源端子台に関する。
【０００２】
【従来の技術】
電源端子台は、合成樹脂製の筐体内に、電源の正極及び負極用の一対の速結端子を内蔵するとともに、アース用の速結端子を内蔵している。筐体のボディには各速結端子に個別に対応して電線挿入孔が開けられていて、これらの挿入孔に挿入された電線の芯線は、その挿入箇所に対応する各速結端子の電線受け部とこれに斜めに対向する弾性変形可能な鎖錠片とで挟持されることにより、対応する速結端子に接続されるようになっている。
【０００３】
そして、フープ材から図１３（Ｂ）に示すように打抜かれた一枚の平板を、図１３（Ａ）に示すように折り曲げて作られる電源用の速結端子が特開平１０−２３３２４２号公報で知られている。この速結端子は、基板部１１１の同一面側に、第１、第２の電線受け部１１２、１１３を夫々折り曲げるとともに、第１、第２の鎖錠板１１４、１１５を折り曲げ、更に、第２電線受け部１１３から基板部１１１とは反対側に向けて第３電線受け部１１６を折り曲げ、しかも、この受け部１１６の先端から一対の弾性変形可能な鎖錠片１１７ａが並べて切起こされた第３鎖錠板１１７を折り曲げて、形成されている。第１鎖錠板１１４は、電線受け部１１２、１１３に斜めに対向する弾性変形可能な鎖錠片１１４ａ及び１１４ｂを有してほぼハの字形状をなし、同様に第２鎖錠板１１５は、電線受け部１１２、１１３に斜めに対向する弾性変形可能な鎖錠片１１５ａ及び１１５ｂを有してほぼハの字形状をなしている。
【０００４】
前記構成の速結端子では、図１３（Ａ）に示すように第３鎖錠板１１７が第２電線受け部に対して直角に折り曲げられている。それにより、供給用電源線１２１と、送り用電源線１２２と、照明器具のシャーシ内に配線される器具内配線である負荷線１２３、１２４とは、いずれも前記速結端子に対して同一方向から挿入される。つまり、電源線１２１は第１電線受け部１１２とこれに斜めに対向する一方の鎖錠片１１４ａ及び１１５ａとの間に挿入され、電源線１２２は第２電線受け部１１３とこれに斜めに対向する他方の鎖錠片１１４ｂ及び１１５ｂとの間へ挿入されるとともに、負荷線１２３、１２４は、第３電線受け部１１６とこれに斜めに対向する鎖錠片１１７ａ、１１７ｂとの間に、これら鎖錠片１１７ａ、１１７ｂが切起こされた跡からなる孔を通って挿入される。
【０００５】
前記速結端子の構成では、第３電線受け部１１６とこれから折り曲げられる第３鎖錠板１１７とは、その展開図に示すようにフープ材の幅方向に連なっている。ところで、負荷線の接続においては、その鎖錠状態で負荷線が引張られて多少引き摺り出されるようなことがあっても、鎖錠片１１７ａ、１１７ｂと第３電線受け部１１６との間での負荷線の接続状態を維持できるように、負荷線の芯線の挿入深さはある程度以上長く確保する必要があり、それに応じて第３電線受け部１１６の幅Ａを広くしなければならない。その結果、前記構成の速結端子の製造に使用されるフープ材には、図１３（Ｂ）中符号Ｂで示す幅の大きなフープ材を使用する必要があるから、材料取りが良くなく、コスト高である。なお、図１３（Ｂ）中点線は折り曲げ予定部分、実線は切り目、又、平行斜線はスクラップの部分を示している。
【０００６】
又、従来において第２鎖錠板１１５の鎖錠片１１５ａ、１１５ｂは、一定の傾斜角度で先端まで傾斜されている。ところで、挿入して接続される電線の芯線は曲っていることがある。その曲りにより、芯線の先端が適正位置からずれて鎖錠片１１５ａ、１１５ｂの根元側に多少向いている場合には、鎖錠片１１５ａ、１１５ｂと電線受け部１１２又は１１３との間に芯線を挿通させずらくなり、作業者は鎖錠片１１５ａ、１１５ｂにおいて受ける抵抗により、作業者は、電線の挿入が完了したと勘違いし易くなる。この状態は、半挿入と通称されており、挿入された電線の芯線は、鎖錠片１１４ａ、１１４ｂと電線受け部１１２又は１１３との間に挟持されるも、鎖錠片１１５ａ又は１１５ｂと電線受け部１１２又は１１３との間には挟まれていない状態である。又、こうした半挿入においては、鎖錠片１１５ａ、１１５ｂは曲がった芯線の先端で押されて変形させられるために、それが過度になって鎖錠片１１５ａ、１１５ｂがへたる恐れがある。
【０００７】
又、前記構成の速結端子を筐体に内蔵して構成された電源端子台においては、電源線、アース線、及び負荷線の全てを筐体の同一面に開けられた電線挿入孔に挿入して接続しなければならないので、挿入間違いを起こす恐れが高いとともに、前記同一面に多数の電線が差し込まれるために、先に挿入して接続された電線が邪魔になり易く、したがって、電線の接続作業性が良くない。
【０００８】
【発明が解決しようとする課題】
本発明が解決しようとする課題は、速結端子の材料取りがよく安価であるとともに電線の接続作業性を向上できる電源端子台を得ることにある。
【０００９】
【課題を解決するための手段】
前記課題を解決するために、請求項１に係る発明の電源端子台は、
正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有し、この壁部に、端子押し部をアーム部の先端に有した一対の電源線解除レバーが一体に形成されるとともに、端子押し部をアーム部の先端に有した一対のアース線解除レバーが一体に形成され、前記壁部に対してほぼ直角な一側壁に、負荷用の電線挿入孔が複数開けられ、かつ、内部に正極用及び負極用並びにアース線用の速結端子を位置決めするリブが設けられたボディ、及びこのボディに連結されたカバーとからなる筐体と；
基板部と、この基板部の一面側に折り曲げて突出された第１の電線受け部と、前記基板部の前記一面側に折り曲げて突出されていて突出方向中央部に曲げ部を有しこの曲げ部と前記基板部とにわたる部位が前記基板部に斜めに連なっている第２の電線受け部と、前記基板部の前記一面側に突出され、前記第１電線受け部に斜めに対向する弾性変形可能な鎖錠片、及び前記第２電線受け部に斜めに対向する弾性変形可能な鎖錠片を有した第１鎖錠板と、この第１鎖錠板と対向して前記基板部から前記一面側に突出され、前記第１電線受け部に斜めに対向する弾性変形可能な鎖錠片及び前記第２電線受け部に斜めに対向する弾性変形可能な鎖錠片を有した第２鎖錠板と、前記第２電線受け部から前記基板部とは逆側に折り曲げられた第３電線受け部と、この第３電線受け部から前記第１、第２の電線受け部とほぼ平行に折り曲げられて前記第３電線受け部に斜めに対向する弾性変形可能な一対の鎖錠片が切り起こし形成された第３鎖錠板とを具備した前記正極用速結端子であって、この速結端子用の前記リブで前記第３鎖錠板の鎖錠片の付け根が連続している前記第３鎖錠板の先端部を前記第３電線受け部への電線挿入方向と反対側から支持された状態に位置決めされて前記筐体に内蔵され、前記第１鎖錠板の一対の鎖錠片の先端部を正極用の前記両電線挿入孔に個別に対向させるとともに、前記第１鎖錠板の鎖錠片の長手方向中間部上に正極用の前記電源線解除レバーの端子押し部を位置させ、かつ、前記第３鎖錠板の鎖錠片の先端部を負荷用の前記電線挿入孔に対向させた前記正極用速結端子と；
基板部と、この基板部の一面側に折り曲げて突出された第１の電線受け部と、前記基板部の前記一面側に折り曲げて突出されていて突出方向中央部に曲げ部を有しこの曲げ部と前記基板部とにわたる部位が前記基板部に斜めに連なっている第２の電線受け部と、前記基板部の前記一面側に突出され、前記第１電線受け部に斜めに対向する弾性変形可能な鎖錠片、及び前記第２電線受け部に斜めに対向する弾性変形可能な鎖錠片を有した第１鎖錠板と、この第１鎖錠板と対向して前記基板部から前記一面側に突出され、前記第１電線受け部に斜めに対向する弾性変形可能な鎖錠片及び前記第２電線受け部に斜めに対向する弾性変形可能な鎖錠片を有した第２鎖錠板と、前記第２電線受け部から前記基板部とは逆側に折り曲げられた第３電線受け部と、この第３電線受け部から前記第１、第２の電線受け部とほぼ平行に折り曲げられて前記第３電線受け部に斜めに対向する弾性変形可能な一対の鎖錠片が切り起こし形成された第３鎖錠板とを具備した前記負極用速結端子であって、この速結端子用の前記リブで前記第３鎖錠板の鎖錠片の付け根が連続している前記第３鎖錠板の先端部を前記第３電線受け部への電線挿入方向と反対側から支持された状態に位置決めされて前記筐体に内蔵され、前記第１鎖錠板の一対の鎖錠片の先端部を負極用の前記両電線挿入孔に個別に対向させるとともに、前記第１鎖錠板の鎖錠片の長手方向中間部上に負極用の前記電源線解除レバーの端子押し部を位置させ、かつ、前記第３鎖錠板の鎖錠片の先端部を負荷用の前記電線挿入孔に対向させた前記負極用速結端子と；
一対の電線受け部及びこれら電線受け部に対向して斜めに配置された弾性変形可能な一対の鎖錠片を有したアース用速結端子であって、この速結端子用の前記リブで位置決めして前記筐体に内蔵され、前記電線受け部に近接した前記アース用速結端子の鎖錠片の先端部をアース用の前記両電線挿入孔に個別に対向させるとともに、前記アース用速結端子の鎖錠片の長手方向中間部上に前記アース線解除レバーの端子押し部を位置させたアース用速結端子と；
を具備したことを特徴とする。
【００１０】
この発明及び以下の各発明において、各速結端子は、いずれもばね性を有する導電性材料、例えば金属、好ましくは燐青銅板のような銅合金等により形成され、又、基板部と各鎖錠板とは、一体であっても、別に形成された両部品をリベット止めや溶接止め等により連結してもよい。
【００１１】
この請求項１の発明の速結端子には電源線及び負荷線が接続される。つまり、第１鎖錠板の一対の鎖錠片とこれらが個別に対向する第１、第２の電線受け部との間には、第１鎖錠板の鎖錠片を弾性変形させながら第１、第２の電線受け部に沿うように挿入される電源線の芯線が接続されるとともに、この電源線の芯線は、更に第２鎖錠板の一対の鎖錠片とこれらが個別に対向する第１、第２の電線受け部との間に、第２鎖錠板の鎖錠片を弾性変形させながら挿入されて接続される。又、第３鎖錠板の鎖錠片とこれが対向する第３電線受け部との間には、第３鎖錠板の鎖錠片を弾性変形させながら第３電線受け部に沿うように挿入される負荷線の芯線が接続される。
【００１２】
この負荷線挿入において、第３鎖錠板は第１、第２の電線受け部とほぼ平行に折り曲げられているので、これら負荷線の挿入方向は電源線の挿入方向に対してほぼ直角方向から行われる。そのため、この速結端子を備える電源端子台においては、この端子台の互いに異なる壁部に電源線と負荷線とを別々に挿入して接続することが可能となる。
【００１３】
又、前記のように第３鎖錠板を第１、第２の電線受け部とほぼ平行に折り曲げたから、この折り曲げによって負荷線の芯線が沿う第３電線受け部の幅は狭められることがない。そのため、必要十分な負荷線の芯線の挿入深さに応じた第３電線受け部の長さ、つまり、第２電線受け部と第３鎖錠板との間の寸法を確保しつつ、本速結端子のうち一体に連続する少なくとも基板部、第１、第２の電線受け部、第３電線受け部、及び第３鎖錠板を作るフープ材の幅を、第３電線受け部の幅と同じにできる。したがって、前記一体に連続する各部を得るために必要とするフープ材の長さは多少長くなるけれども、幅が狭いフープ材を使用して速結端子を得ることができる。
【００１４】
請求項２に係る発明の電源端子台は、前記第１鎖錠板の両鎖錠片に個別に対向してこれら鎖錠片の最大弾性変形量を規制する第１鎖錠板ストッパを、前記第１、第２の鎖錠板間に位置して前記基板部から前記一面側に切起こしたことを特徴とする。
【００１５】
この発明においては、第１鎖錠板の鎖錠片をその裏側方向に弾性変形させながら電源線の芯線を接続する場合、曲がった芯線の挿入に伴い第１鎖錠板の鎖錠片が過度に弾性変形されるようとすることがあっても、その時点で第１鎖錠板の鎖錠片が第１鎖錠板ストッパに当接するから、それ以上過度に第１鎖錠板の鎖錠片の変形を防止できる。
【００１８】
なお、請求項１の発明において、筐体をなすボディ及びカバーは、いずれも電気絶縁材料、例えば合成樹脂、好ましくはナイロン等により形成される。
【００１９】
請求項１の発明においては、材料取りがよく安価であるとともに電線の接続作業性を向上できる速結端子を、筐体に内蔵して構成されるから、前記速結端子の採用によるコストダウンが可能である。しかも、前記速結端子の構成に対応して、電源線及びアース線が挿入される電線挿入孔が開けられた筐体の壁部に対してほぼ直角な筐体の一側壁に、負荷線が挿入される電線挿入孔が開けられている。それにより、筐体の互いに異なる壁部に電源線と負荷線とを別々に挿入して接続することが可能となるから、電線の挿入間違いを少なくできるとともに、既に接続された電線が邪魔となることも少なくなり、電線の接続作業性を向上できる。
【００２５】
【発明の実施の形態】
以下、図１〜図１２を参照して本発明の一実施形態を説明する。
【００２６】
図１中１１は天井側に例えば埋め込んで設置される蛍光灯照明器具を示し、この器具１１は、下面が開放されたシャーシ１２を備えている。このシャーシ１２の長手方向両端部に夫々一対のランプソケット１３が取付けられていて、シャーシの長手方向に対向するランプソケット１３にわたって直管形の蛍光ランプ１４が取付けられている。
【００２７】
シャーシ１２の天井壁１１ａの裏面には、両蛍光ランプ１４間に位置して電源端子台１５が取付けられているとともに、図示しないが例えば電子安定器からなる点灯装置等が取付けられている。電源端子台１５には天井壁１１ａに穿った電源線引込み孔１６を通って天井裏からシャーシ１２内に引込まれる図示しない電源線が接続される。更に、電源端子台１５は図示しない負荷線（器具内配線）を介して前記点灯装置に接続されるとともに、図示しない負荷線を介してシャーシ１２の長手方向一端側のランプソケット１３に接続される。又、前記点灯装置は図示しない更に他の負荷線を介してシャーシ１２の長手方向他端側のランプソケット１３に接続される。そして、これら電源端子台１５、点灯装置、及び各負荷線を覆う断面Ｖ形の中央反射板１７が、２本の蛍光ランプ１４間に位置して前記天井壁１１ａに取付けられている。
【００２８】
次に、電源端子台１５について説明する。この電源端子台１５は、図２〜図８等に示されるナイロン樹脂製の筐体２１と、図９及び図１１等に示されるようにばね性を有する一枚の燐青銅板を折り曲げて形成された電源線の正極及び負極用の一対の速結端子２２、２３と、図１０等に示されるようにばね性を有する一枚の燐青銅板を折り曲げて形成されたアース用の速結端子２４とを備えている。速結端子２２、２３は同一構造である。
【００２９】
筐体２１は、ボディ２５と、これに連結されるカバー２６とからなる。これらは、図２、図６に示すようにボディ２５の側壁外面に一体に突設した複数の爪２７を、カバー２６の側壁に対応して設けた爪受け孔２８に夫々引っ掛けることによって組立てられている。カバー２６は図示しない一つのねじ通孔及び一対の位置決め凸部３０を有している。このカバー２６は、その位置決め凸部３０を前記天井壁１１ａに開けた図示しない一対の孔に挿入して位置決めした状態で、図示しない金属製ねじを、天井壁１１ａに開けた図示しない端子台取付け孔及びこれに対向する前記ねじ通孔に通して締付けることにより、天井壁１１ａの裏面に前記ねじ１本で固定されている。前記ねじは速結端子２４に螺合され、このねじを介してシャーシ１２へのアースが取れるようになっている。
【００３０】
カバー２６が被着される面を開放した容器状をなすボディ２５のカバー２６と反対側の壁部、つまり、電源端子台１５がシャーシ１２に固定された状態で下を向く壁部３５は、段差３６によって電源線挿入面部３５ａとアース線挿入面部３５ｂとに区分けされている。それにより、手探りで両挿入面部３５ａ、３５ｂを識別できるようにしてある。
【００３１】
電源線挿入面部３５ａには、正極用の電源供給側電線挿入孔（以下、第１電源線挿入孔という。）４１と、同じく正極用の電源送り側電線挿入孔（以下、第１送り電源線挿入孔という。）４２とが夫々開けられているとともに、第１電源線挿入孔４１に並んで負極用の電源供給側電線挿入孔（以下、第２電源線挿入孔という。）４３と、同じく第１送り電源線挿入孔４２に並んで負極用の電源送り側電線挿入孔（以下、第２送り電源線挿入孔という。）４４とが夫々開けられている。
【００３２】
更に、電源線挿入面部３５ａには、互いに隣接している第１、第２の電源線挿入孔４１、４３と、互いに隣接している第１、第２の送り電源線挿入孔４２、４４との間に位置して、一対の電源線解除レバー（以下解除レバーと略称する。）４５、４６が夫々一体に形成されている。これらレバー４５、４６は、同一の構成であり、いずれもアーム部４７と端子押し部４８とを有して形成されているとともに、互いに逆向きとなって点対称の配置に設けられている。アーム部４７の一端からなる根元は電源線挿入面部３５ａに一体に接続され、アーム部４７の他端は端子押し部４８の長手方向中央部に一体に接続されており、それにより、解除レバー４５、４６はいずれも平面視ほぼＴ字形状をなしている。
【００３３】
両解除レバー４５、４６は、そのアーム部４７の根元を支点として弾性変形が可能であり、この変形を許すための隙間ｇが、図３に示すように両解除レバー４５、４６の根元以外の周囲に沿って電源線挿入面部３５ａに設けられている。前記のように対称に設けられた両解除レバー４５、４６のアーム部４７は、その長さをより長く確保するために互いに並んで平行に、しかも、斜めに設けられている。
【００３４】
端子押し部４８は後で詳述する正負両極用の速結端子２２、２３に跨る（図６参照）長さを有している。この端子押し部４８とこれを支持するアーム部４７とが一体につながった部分には、押し込み工具受け部４９が設けられている。この受け部４９は、例えばプラスねじ回しの先端部が嵌入する第１凹部とこれを直径方向に横切ってマイナスねじ回しの先端部が嵌入する第２凹部とから形成されている。
【００３５】
図６及び図７等に示すように両解除レバー４５、４６の端子押し部４８は、その長手方向両端部裏面に夫々前記カバー２６方向に突出する端子当接突起４８ａを一体に有しているとともに、長手方向中央部にカバー２６方向に突出する係合突起４８ｂを一体に有している。係合突起４８ｂは、互いに並んで隣接配置される後述の速結端子２２、２３間に位置されるとともに、その突出長さは一対の端子当接突起４８ａよりも長い。したがって、端子押し部４８はほぼＴ字形状（図６参照）をなしている。係合突起４８ｂはその先端側程先細に形成されている。
【００３６】
図３等に示すように前記アース線挿入面部３５ｂには、アース供給用の電線挿入孔５１とアース送り用の電線挿入孔５２とが夫々開けられているとともに、これら挿入孔５１、５２間に位置して一対のアース線解除レバー５３、５４（以下、解除レバーと略称する。）が一体に形成されている。解除レバー５３、５４は、同一の構成であり、いずれもアーム部５５と端子押し部５６とを有して形成され、互いに逆向きとなって線対称の配置に設けられている。
【００３７】
両解除レバー５３、５４は、アース線挿入面部３５ｂに一体に接続されたアーム部５５の根元を支点として弾性変形が可能であり、この変形を許すための隙間ｇが、図３に示すように両解除レバー５３、５４の根元以外の周囲に沿ってアース線挿入面部３５ｂに設けられている。端子押し部５６とこれを支持するアーム部５５とが一体につながった部分には、前記押し込み工具受け部４９と同様な構成の押し込み工具受け部５８が設けられている。両解除レバー５３、５４は、その端子押し部５６の裏面に夫々前記カバー２６方向に突出する端子当接突起５６ａ（図６参照）を一体に有している。
【００３８】
又、ボディ２５の幅が狭くなった部分の側壁６１は負荷線挿入面部として用いられている。この側壁６１には、図２、図３（Ｂ）、図７に示されるように正極用の一対の負荷線挿入孔６２が開けられているとともに、負極用の一対の負荷線挿入孔６３が開けられている。これら挿入孔６３には水平方向から前記負荷線が挿入される。なお、図３（Ｂ）及び図４中６４は負荷線挿入孔６２、６３の近傍に個別に設けられた負荷線リリース用のリリース孔である。
【００３９】
カバー２６の裏面（内面）には、図６及び図８に示す一対のレバーストッパ部７１、図４に一方のみ示す端子押さえ部を兼ねる一対の第２鎖錠板ストッパ７３、図５に示す端子支えリブ７４、図５及び図６に示すアース鎖錠板ストッパ７７等が、夫々前記壁部３５側に向けて一体に設けられている。一対のレバーストッパ部７１はリブを介して互いに一体につながっているとともに、このリブに直交する他のリブを介して一対の第２鎖錠板ストッパ７３は一体につながっている。
【００４０】
図８に示す一対のレバーストッパ部７１は、前記解除レバー４５、４６の係合突起４８ｂの回動軌跡上に形成されており、その先端には斜めガイド面を有した突起７１ａが突設されている。この突起７１ａは省略することもできるが、解除レバー４５、４６を押し込んだときに後述の第１鎖錠板の鎖錠片の傾きにしたがって前記係合突起４８ｂが傾くことを防止するために設けられている。一対の第２鎖錠板ストッパ７３は、図４に代表して示すように前記速結端子２２、２３と対向する位置に形成されていて、速結端子２２、２３をカバー２６側から支持するための支持凸部７３ａを先端中央部に有しているとともに、この両側に位置して後述の第２鎖錠板の鎖錠片を動き止めする斜状のストッパ面７３ｂを有している。リブ状の端子支えリブ７４は前記速結端子２４を押さえる位置に形成されている。又、リブ状のアース鎖錠板ストッパ７７は、一対の斜状ストッパ面７７ａを有していて、速結端子２４の後述する鎖錠片の過度の弾性変形を防止するために、速結端子２４と対向する位置に設けられている。
【００４１】
電源線用の前記速結端子２２、２３は、フープ材をその長手方向に所定間隔毎に切断して得られる図１２に示す一枚の平板状ブランクＤを折り曲げて形成されている。このブランクＤにおいて、平行斜線を付して示した部分は前記切断と同時に打ち抜かれるスクラップを示し、点線は折り曲げ予定部分を示し、実線は切り目を示している。前記折り曲げ予定部分を折り曲げて得た速結端子２２、２３は、図９及び図１１に示されるように基板部８１と、第１及び第２の電線受け部８２及び８３と、第１鎖錠板８４と、第２鎖錠板８５と、第３電線受け部８６と、第３鎖錠板８７とを有している。
【００４２】
第１及び第２の電線受け部８２及び８３は、基板部８１の長手方向の両辺から基板部８１の一面側にほぼ直角に折り曲げて突出形成されており、その第２電線受け部８３の先端から第３電線受け部８６が基板部８１と反対側に折り曲げられている。第１鎖錠板８４は前記両辺とは異なる基板部８１の他の両辺のうちの一方の辺から前記一面側に折り曲げて突出形成され、第２鎖錠板８５は前記他の両辺のうちの他方の辺から前記一面側に折り曲げて突出形成されている。しかも、図９、図１１（Ａ）（Ｅ）に示されるように第２の電線受け部８３は、その突出方向中央部に曲げ部を有し、この曲げ部と基板部８３とにわたる部位を基板部８１に斜めに連ねて形成されている。
【００４３】
第１鎖錠板８４は、基板部８１に連なった基部８４ａと、この基部８４ａの両側から互いに逆方向に斜め折りされて、その傾斜の先端が第１電線受け部８２又は第２電線受け部８３に近接して対向する鎖錠片８４ｂ、８４ｃとから形成されている。同様に、第２鎖錠板８５も、基板部８１に連なった基部８５ａと、この基部８５ａの両側から互いに逆方向に斜め折りされて、その傾斜の先端が第１電線受け部８２又は第２電線受け部８３に近接して対向する鎖錠片８５ｂ、８５ｃとから形成されている。鎖錠片８４ｂ、８４ｃ及び鎖錠片８５ｂ、８５ｃはいずれも基部８４ａ又は８５ａを支点として弾性変形可能である。鎖錠片８４ｂ、８４ｃは、第１又は第２の電線受け部８２、８３との間に図示しない電源線の芯線を挟持して、主としてこの芯線の機械的な抜け止めを担い、又、鎖錠片８５ｂ、８５ｃは、電源線の芯線との電気的接続を担って第１又は第２の電線受け部８２、８３との間に電源線の芯線を、これにエッジを食い込ませることなく挟持する。
【００４４】
そして、図４及び図１１（Ｃ）（Ｄ）（Ｆ）に示すように基板部８１には前記一面側に突出する一対の第１鎖錠板ストッパ８１ａが切起こされている。これらストッパ８１ａは、第１鎖錠板８４の鎖錠片８４ｂ、８４ｃがその裏面側に弾性変形する際に、その許容される最大変位を規制するものである。又、図１１（Ｃ）（Ｄ）に示すように第２鎖錠板８５の鎖錠片８５ｂ、８５ｃの先端側部分は、第１曲げ部b1と第２曲げ部b2とを有している。より先端側の第１曲げ部b1は、鎖錠片８５ｂ、８５ｃがその先端のエッジで電源線の芯線と接触しないようにするための曲げである。この第１曲げ部b1よりも根元側の第２曲げ部b2は、鎖錠片８５ｂ、８５ｃの根本側よりも先端側の方が傾斜が急になるようにするための曲げであり、それにより、第１、第２の曲げ部b1、b2間が急傾斜に形成されている。
【００４５】
第３電線受け部８６は、第２の電線受け部８３から基板部８１と反対側に折り曲げられており、その先端からは第３鎖錠板８７が前記基板部８１の他面側に向けて第１、第２の電線受け部８２、８３とほぼ平行に折り曲げられている。この第３鎖錠板８７には弾性変形が可能な一対の鎖錠片８７ａが第３電線受け部８６と対向して斜めに切起こされている。
【００４６】
前記構成の一対の速結端子２２、２３は、前記筐体２１内に、この内部に設けられた各種のリブによって位置を決められて互いに平行に収容されている。前記各種のリブの中には図７に示す第３鎖錠板８７を支持するためのリブ２１ａが含まれている。
【００４７】
この収容状態においては、図４に示すように正極側の速結端子２２の鎖錠片８４ｂの先端部が第１電源線挿入孔４１に対向するとともに、鎖錠片８４ｃの先端部が第１送り電源線挿入孔４２に対向する。かつ、この速結端子２２の一対の鎖錠板８７が、夫々負荷線用の一対の負荷線挿入孔６２に対向する（図７に一方の対向状態のみ示す）とともに、図４に示すようにリリース孔６４に対向する。同様に、図示しないが負極側の速結端子２３の鎖錠片８４ｂの先端部が第２電源線挿入孔４３に対向するとともに、鎖錠片８４ｃの先端部が第２送り電源線挿入孔４４に対向する。かつ、この速結端子２３の一対の鎖錠板８７が、夫々負荷線用の一対の負荷線挿入孔６３に対向する（図７に一方の対向状態のみ示す）とともに、その近傍のリリース孔６４に対向する。又、両速結端子２２、２３の鎖錠片８４ｂの先端と基部８４ａとの間の中間部分には、図４において速結端子２２で代表して示すように電源線用の一方の解除レバー４５の端子押し部４８の端子当接突起４８ａが夫々当接し、同様に両速結端子２２、２３の鎖錠片８４ｃの先端と基部８４ａとの間の中間部分には、速結端子２３については図示しないが速結端子２２で代表するように電源線用の他方の解除レバー４６の端子押し部４８の端子当接突起４８ａが夫々当接する。又、図６に示すように両解除レバー４５、４６の係合突起４８ｂはカバー２６のレバーストッパ部７１の先端部に所定の距離を置いて対向する。しかも、図７に示すようにリブ２１ａは、鎖錠片８７ａの付け根が連続している第３鎖錠板８７の先端部に重なって、鎖錠片８７ａと第３鎖錠板８７の間への電線挿入方向と反対側から支持するように第３鎖錠板８７を位置決めする。
【００４８】
図４に示すように両速結端子２２、２３は、それらに個別に対応して第２鎖錠板８５の基部８５ａに接するカバー２６の第２鎖錠板ストッパ７３の支持凸部７３ａによって、ボディ２５の壁部３５に押付けられている。そして、この第２鎖錠板ストッパ７３のストッパ面７３ｂは、夫々両速結端子２２、２３の第２鎖錠板８５の鎖錠片８５ｂ、８５ｃの裏面に所定間隔を空けて対向している。
【００４９】
図１０等に示すようにアース線用の前記速結端子２４は、基板部９１と、第１及び第２の電線受け部９２及び９３と、一つの鎖錠板９４と、ねじ受け舌片９５とを有している。第１及び第２の電線受け部９２及び９３は、基板部９１の長手方向の両辺から基板部９１の一面側にほぼ直角に折り曲げて形成されている。鎖錠板９４は前記両辺とは異なる基板部９１の他の両辺のうちの一方の辺から前記一面側に折り曲げられていて、ねじ受け舌片９５は基板部９１の他の両辺のうちの他方の辺から前記一面側とは反対側に折り曲げられている。このねじ受け舌片９５には前記図示しないねじが螺合されるねじ孔９５ａが開けられている。
【００５０】
鎖錠板９４は、基板部９１に連なった基部９４ａと、この基部９４ａの両側から互いに逆方向に斜め折りされて、その傾斜の先端が第１電線受け部９２又は第２電線受け部９３に近接して対向する鎖錠片９４ｂ、９４ｃとから形成されている。鎖錠片９４ｂ、９４ｃは図示しないアース線の機械的に抜け止めと電気的接続を担って第１又は第２の電線受け部９２、９３との間にアース線を挟持する。
【００５１】
前記構成の速結端子２４は、そのねじ受け舌片９５をボディ２５の開口側に位置させた姿勢で前記筐体２１内に、この内部に設けられた各種のリブによって位置を決められて収容されている。この速結端子２４は端子支えリブ７４によってボディ２５の壁部３５に押付けられている。
【００５２】
この収容状態においては、図５に示すように鎖錠片９４ｂの先端部が電線挿入孔５１に対向するとともに、鎖錠片９４ｃの先端部が電線挿入孔５２に対向し、かつ、これら一対の鎖錠片９４ｂ、９４ｃの裏面に所定の間隔を空けてアース鎖錠板ストッパ７７が対向する。又、鎖錠片９４ｂ、９４ｃの先端と基部９４ａとの間の中間部分には、アース用の解除レバー５３、５４の端子押し部５６の端子当接突起５６ａが夫々当接する。
【００５３】
前記構成の電源端子台１５の第１、第２の電源線挿入孔４１、４２の夫々には天井裏から引込まれたＦケーブル等の電源線の正極側又は負極側の芯線が挿入され、これらの芯線は対応する速結端子２２、２３に個別に接続される。又、送り用の電源線が必要な場合には、この電源線の正極側又は負極側の芯線が第１、第２の送り電源線挿入孔４３、４４に挿入され、これらの芯線は対応する速結端子２２、２３に個別に接続される。
【００５４】
これらの場合、一方の芯線は、速結端子２２の第１鎖錠板８４の鎖錠片８４ｂをその裏面側に弾性変形させながらこれと第１電線受け部８２との間を通過した後、更に第２鎖錠板８５の鎖錠片８５ｂをその裏面側に弾性変形させながらこれと第１電線受け部８２との間を通過して、これら鎖錠片８４ｂ、８５ｂと第１電線受け部８２との間に挟着される。同様に、他方の芯線も、速結端子２２の第１鎖錠板８４の鎖錠片８４ｃをその裏面側に弾性変形させながらこれと第２電線受け部８３との間を通過した後、更に第２鎖錠板８５の鎖錠片８５ｃをその裏面側に弾性変形させながらこれと第２電線受け部８３との間を通過して、これら鎖錠片８４ｃ、８５ｃと第２電線受け部８３との間に挟着される。
【００５５】
こうした電源線の接続において、その芯線が多少曲がっていると、真っ直ぐな芯線が挿入される場合よりも第１鎖錠板８４の鎖錠片８４ｂ、８４ｃが大きく弾性変形されることがある。この場合、鎖錠片８４ｂ、８４ｃがある程度その裏面方向に弾性変形した時点で、これらが基板部８１から切起こされた第１鎖錠板ストッパ８１ａに当って動き止めされる。つまり、鎖錠片８４ｂ、８４ｃが許容される最大の弾性変形量に達した時点で、それ以上の過度の鎖錠片８４ｂ、８４ｃの変形を第１鎖錠板ストッパ８１ａで妨げることができる。したがって、鎖錠片８４ｂ、８４ｃが過度に変形してへたることを防止できる。
【００５６】
又、前記電源線の挿入接続において、既述のように第１鎖錠板８４を経由して挿入された電源線の芯線の先端は、第２鎖錠板８５の両鎖錠片８５ｂ、８５ｃに当って、これらの鎖錠片８５ｂ、８５ｃを弾性変形させる。その場合に、鎖錠片８５ｂ、８５ｃの先端側部分の第１、第２の曲げ部b1、b2間は傾斜が急になっており、そこに芯線が当たるので、この急傾斜部分に沿って前記芯線を鎖錠片８５ｂ、８５ｃの先端と第１、２の電線受け部８２、８３との間に導き易くできるに伴い、鎖錠片８５ｂ、８５ｃが前記芯線を受け止める感触が減る。そのため、半挿入状態であるにも拘らず、挿入完了と勘違いする恐れを少なくできる。
【００５７】
しかも、既述のように芯線が多少曲がっていても、この芯線の曲りを前記急傾斜部分により矯正しつつ、鎖錠片８５ｂ、８５ｃの先端と第１、２の電線受け部８２、８３との間に芯線を円滑に導入して通すことができる。したがって、電源線の挿入作業を容易に行うことができる。
【００５８】
その上、真っ直ぐな芯線が挿入される場合よりも、曲った芯線により第２鎖錠板８５の鎖錠片８５ｂ、８５ｃが大きく弾性変形されることがあっても、鎖錠片８５ｂ、８５ｃがある程度その裏面方向に弾性変形した時点で、これらがカバー２６から突設された第２鎖錠板ストッパ７３のストッパ面７３ｂに当って動き止めされる。つまり、鎖錠片８５ｂ、８５ｃが許容される最大の弾性変形量に達した時点で、それ以上の過度の鎖錠片８５ｂ、８５ｃの変形を第２鎖錠板ストッパ７３で妨げることができる。したがって、鎖錠片８５ｂ、８５ｃが過度に変形してへたることを防止できる。
【００５９】
又、電源端子台１５の電線挿入孔５１には供給用のアース線の芯線が挿入されるとともに、アースの送りが必要な場合には、他の電線挿入孔５２に送り用アース線の芯線が挿入されて、これらは速結端子２４に接続される。この場合、供給用のアース線の芯線は、速結端子２４の鎖錠片９４ｃをその裏面側に弾性変形させながらこれと第１電線受け部９２との間を通過して、これらの間に挟着され、同様に送り用アース線の芯線は、速結端子２４の鎖錠片９４ｂを弾性変形させながらこれと第２電線受け部９３との間を通過して、これらの間に挟着される。
【００６０】
そして、このアース線接続においても、その芯線の曲り等により、鎖錠片９４ｂ、９４ｃが、真っ直ぐな芯線が挿入される場合よりも大きく弾性変形されることがあっても、鎖錠片９４ｂ、９４ｃがある程度その裏面方向に弾性変形した時点で、これらがカバー２６から突設されたアース鎖錠板ストッパ７７の斜状ストッパ面７７ａに当って動き止めされる。つまり、鎖錠片９４ｂ、９４ｃが許容される最大の弾性変形量に達した時点で、それ以上の過度の鎖錠片９４ｂ、９４ｃの変形を第２鎖錠板ストッパ７７で妨げることができる。したがって、鎖錠片９４ｂ、９４ｃが過度に変形してへたることを防止できる。
【００６１】
ところで、以上のように電源端子台１５に速結接続された電線を必要により外すには、その対象が供給用の電源線である場合には、解除レバー４５をねじ回し等の工具で押し込みながら、この電源線を引き抜けばよく、同様に送り用電源線である場合には、解除レバー４６をねじ回し等の工具で押し込みながら、この電源線を引き抜けばよい。又、外す線が供給用のアース線である場合には、解除レバー５３をねじ回し等の工具で押し込みながら、このアース線を引き抜けばよく、同様に送り用アース線である場合には、解除レバー５４をねじ回し等の工具で押し込みながら、このアース線を引き抜けばよい
このように電源端子台１５に接続された電線の前記接続を解除するには、供給側の電源線についてはねじ回し等リリース工具の先が尖った先端部を解除レバー４５の端子押し部４８に当てて押し込みながら前記供給側の電源線を引張ればよく、同様に送り側の電源線についても前記工具の先端部を解除レバー４６の端子押し部４８に当てて押し込みながら前記送り側の電源線を引張ればよい。又、供給側のアース線については前記工具の先端部を解除レバー５３の端子押し部５６に当てて押し込みながら前記供給側のアース線を引張ればよく、同様に送り側のアース線についても前記工具の先端部を解除レバー５４の端子押し部５６に当てて押し込みながら前記送り側のアース線を引張ればよい。
【００６２】
前記押し込み操作で電源用の解除レバー４５がそのアーム部４７の根元を支点に弾性変形しながら押し込まれることにより、端子押し部４８の裏面に突出する一対の端子当接突起４８ａが、電源線用の速結端子２２、２３の斜めの鎖錠片８４ｂを個別に押してカバー２６側に弾性変形させながら、この鎖錠片８４ｂと第１電線受け部８２との間を開くので、供給側電源線を引抜くことができる。同様に、前記押し込み操作で電源用の他方の解除レバー４６がそのアーム部４７の根元を支点に弾性変形しながら押し込まれることにより、端子押し部４８の裏面に突出する一対の端子当接突起４８ａが、電源線用の速結端子２２、２３の斜めの鎖錠片８４ｃを個別に押して第２鎖錠板８５側に弾性変形させながら、この鎖錠片８４ｃと第２電線受け部８３との間を開くので、送り側電源線を引抜くことができる。
【００６３】
又、前記押し込み操作でアース用の解除レバー５３がそのアーム部５５の根元を支点に弾性変形しながら押し込まれることにより、端子押し部５６の裏面に突出する単一の端子当接突起５６ａが、アース線用の速結端子２４の斜めの鎖錠片９４ｃを押してカバー２６側に弾性変形させながら、この鎖錠片９４ｃと第１電線受け部９２との間を開くので、供給側アース線を引抜くことができる。同様に、前記押し込み操作でアース用の解除レバー５４がそのアーム部５５の根元を支点に弾性変形しながら押し込まれることにより、端子押し部５６の裏面に突出する単一の端子当接突起５６ａが、アース線用の速結端子２４の斜めの鎖錠片９４ｂを押してカバー２６側に弾性変形させながら、この鎖錠片９４ｂと第２電線受け部９３との間を開くので、送り側アース線を引抜くことができる。
【００６４】
これらの電線解除においては、前記のように鎖錠片８４ｂ、８４ｃ、８５ｂ、８５ｃ、９４ｂ、９４ｃの長手方向中間部を解除レバー４５又は４６或は５３若しくは５４の端子押し部４８又は５６で押すから、言い換えれば、鎖錠片８４ｂ、８４ｃ、８５ｂ、８５ｃ、９４ｂ、９４ｃをその先端部よりも基部８４ａ又は８５ａ若しくは９４ａ側で押すから、各鎖錠片８４ｂ、８４ｃ、８５ｂ、８５ｃ、９４ｂ、９４ｃの先端部を押して電線解除をする場合よりも、電線解除を行うのに必要とされる解除レバー４５、４６、５３、５４の解除ストロークを小さくできる。したがって、解除レバー４５、４６、５３、５４が過度に撓むことがなくなり、その変形・破損を防止できる。
【００６５】
ところで、正負両極の速結端子２２、２３の隣接する鎖錠片８４ｂ、８５ｂ又は８４ｃ、８５ｃに跨ってこれらに端子当接突起４８ａを当接している解除レバー４５、４６の端子押し部４８の裏面には速結端子２２、２３間に位置してカバー２６方向に突出する係合突起４８ｂが設けられているとともに、この突起４８ｂに対向してカバー２６の裏面には、レバーストッパ部７１が突設されているので、解除レバー４５、４６及びそれらに押される鎖錠片８４ｂ及び８５ｂ、８４ｃ及び８５ｃの過度の変形を防止できる。
【００６６】
すなわち、既述のように端子押し部４８が押し込まれた際に、それが或る程度進行すると、係合突起４８ｂがその移動軌跡上に位置しているレバーストッパ部７１の先端面に接触して、それ以上に解除レバー４５、４６及びそれらに押される鎖錠片８４ｂ及び８５ｂ、８４ｃ及び８５ｃが押し動かされることを防止するので、これらが過度に変形することがなくその変形に伴う破損も防止できる。
【００６７】
又、前記構成の電源端子台１５には、以上の電源線及びアース線の接続の他に図示しない負荷線が接続される。これら負荷線は、ボディ２５の側壁６１に開けた負荷線挿入孔６２、６３に挿入される。それにより、負荷線の芯線が、速結端子２２、２３の第３鎖錠板８７の鎖錠片８７ａを弾性変形させながら第３電線受け部８６に沿うように挿入されて、これら鎖錠片８７ａとこれが対向する第３電線受け部８６との間に挟まれて接続される。
【００６８】
以上のような各種の電線の接続においては、速結端子２２、２３の第３鎖錠板８７が第１、第２の電線受け部８２、８３とほぼ平行に折り曲げられているので、これら負荷線の挿入方向は電源線の挿入方向に対してほぼ直角方向から行われる。そのため、この電源端子台１５においては、その互いに異なる壁部、つまり、シャーシ１２に装着された状態で下を向いた壁部３５に電源線とアース線を挿入して接続でき、これとは別に前記壁部３５に対して直角な側壁６１に負荷線を挿入して接続することができる。したがって、同一面に多数の電線を差し込む場合に比較して、電線の挿入間違いを起こす恐れを少なくできるとともに、先に挿入して接続された電線が邪魔になることを少なくできるから、電線の接続作業性を向上できる。
【００６９】
又、筐体２１に内蔵された速結端子２２、２３は、既述のように第３鎖錠板８７を第１、第２の電線受け部８２、８３とほぼ平行に折り曲げた構成であるから、この折り曲げによって負荷線の芯線が沿う第３電線受け部８６の幅が狭められることがない。そのため、負荷線の芯線の必要十分な挿入深さに応じた第３電線受け部８６の長さ、つまり、第２電線受け部８３と第３鎖錠板８７との間の寸法Ｚ（図１２参照）を必要充分に確保しつつ、速結端子２２、２３を作るブランクＤ幅、つまりはフープ材の幅Ｙ（図１２参照）を、第３電線受け部８３の幅と同じにできる。したがって、速結端子２２、２３を作るブランクＤの長さＸは多少長くなるけれども、幅Ｙが狭いフープ材を使用できるから、それに伴い速結端子２２、２３の材料取りが良くなって安価に得ることができ、ひいてはこれら速結端子２２、２３を備える電源端子台１５並びにこの端子第１５が装着された照明器具のコストダウンに寄与できる。
【００７０】
【発明の効果】
本発明は、以上説明したような形態で実施され、以下に記載されるような効果を奏する。
【００７１】
請求項１に記載の発明によれば、負荷線の芯線が沿う第３電線受け部から折り曲げられた第３鎖錠板によって第３電線受け部の幅が狭められることがなくなり、幅が狭いフープ材を使用できるので、それに伴い材料取りが良くなって安価に得ることができるとともに、互いに異なる方向から電源線と負荷線とを別々に挿入して接続することが可能となるので、電線の接続作業性が良い電源端子台を提供できる。
【００７２】
請求項２に記載の発明によれば、電線の接続において、基板部の第１鎖錠片ストッパによって第１鎖錠板の鎖錠片が過度に変形しないようにしたので、前記鎖錠片がへたることを防止できる電源端子台を提供できる。
【図面の簡単な説明】
【図１】（Ａ）は本発明の一実施形態に係る電源端子台を備えた蛍光灯照明器具を一部切欠いて示す斜視図。
（Ｂ）は図１（Ａ）の照明器具の断面図。
【図２】本発明の一実施形態に係る電源端子台を示す斜視図。
【図３】（Ａ）は図２の電源端子台を示す正面図。
（Ｂ）は図２中矢印Ｚ方向から見て示す電源端子台の側面図。
【図４】図３（Ａ）中Ａ−Ａ線に沿って示す電源端子台の断面図。
【図５】図３（Ａ）中Ｃ−Ｃ線に沿って示す電源端子台の断面図。
【図６】図３（Ａ）中Ｅ−Ｅ線に沿って示す電源端子台の断面図。
【図７】図３（Ｂ）中Ｆ−Ｆ線に沿って示す電源端子台の断面図。
【図８】図３（Ａ）中Ｂ−Ｂ線に沿って示す電源端子台の断面図。
【図９】図２の電源端子台が備える電源線用の速結端子を示す斜視図。
【図１０】図２の電源端子台が備えるアース線用の速結端子を示す斜視図。
【図１１】（Ａ）は図９の速結端子の平面図。
（Ｂ）は図９の速結端子の側面図。
（Ｃ）は図９の速結端子の正面図。
（Ｄ）は図９の速結端子の背面図。
（Ｅ）は図９の速結端子の下面図。
（Ｆ）は図１１（Ｃ）中Ｇ−Ｇ線に沿う速結端子の断面図。
【図１２】図９の速結端子の展開状態をこの端子を形成するフープ材から得たブランクをそのスクラップ部分とともに示す図。
【図１３】（Ａ）は従来の電源端子台が備える速結端子を示す斜視図。
（Ｂ）は図１３（Ａ）の速結端子の展開図。
【符号の説明】
１５…電源端子台
２１…筐体
２１ａ…リブ
２２…速結端子（電源線正極用）
２３…速結端子（電源線負極用）
２４…速結端子（アース用）
２５…ボディ
２６…カバー
３５…ボディの壁部
４１…電源供給側電線挿入孔（第１電源線挿入孔）
４２…電源送り側電線挿入孔（第１送り電源線挿入孔）
４３…電源供給側電線挿入孔（第２電源線挿入孔）
４４…電源送り側電線挿入孔（第２送り電源線挿入孔）
４５、４６…電源線解除レバー
４７…アーム部
４８…電源線解除レバーの端子押し部
４８ｂ…係合突起
５１…アース供給用電線挿入孔
５２…アース送り用電線挿入孔
５３、５４…アース線解除レバー
５５…アーム部
５６…アース線解除レバーの端子押し部
６１…ボディの側壁
６２、６３…負荷線用電線挿入孔
７１…レバーストッパ部
７３…第２鎖錠板ストッパ
７３ｂ…ストッパ面
８１…基板部
８１ａ…第１鎖錠板ストッパ
８２…第１電線受け部
８３…第２電線受け部
８４…第１鎖錠板
８５…第２鎖錠板
８４ａ、８５ａ…基部
８４ｂ、８５ｂ…鎖錠片
８４ｃ、８５ｃ…鎖錠片
b1、b2…曲げ部
８６…第３電線受け部
８７…第３鎖錠板
８７ａ…鎖錠片
９１…基板部
９２…第１電線受け部
９３…第２電線受け部
９４…鎖錠板
９４ａ…基部
９４ｂ…鎖錠片
９４ｃ…鎖錠片
【図１】
0003928323.tif 000002
【図２】
0003928323.tif 000003
【図３】
0003928323.tif 000004
【図４】
0003928323.tif 000005
【図５】
0003928323.tif 000006
【図６】
0003928323.tif 000007
【図７】
0003928323.tif 000008
【図８】
0003928323.tif 000009
【図９】
0003928323.tif 000010
【図１０】
0003928323.tif 000011
【図１１】
0003928323.tif 000012
【図１２】
0003928323.tif 000013
【図１３】
0003928323.tif 000014